(57)【要約】      （修正有）【課題】簡単な構成により、複数のエリア毎に照明装置による明るさを設定することができると共に、制御装置に故障，停電が発生した場合には各照明装置を最大輝度で点灯させるようにした調光システムを提供する。【解決手段】照明すべきエリアＡ〜Ｄにそれぞれ対応して配置された少なくとも一つの照明装置１１〜１４と、各照明装置にそれぞれ接続され且つ当該照明装置の輝度を制御するターミナルユニット３１〜３４と、各ターミナルユニットを調光制御する一つのコントロールユニットとから構成されていて、コントロールユニットが、個々の照明装置毎に輝度を設定し、設定された輝度に対応する輝度指示信号を含む制御信号を、各ターミナルユニットに送出し、ターミナルユニットが、コントロールユニットからの制御信号に基づいて、対応する照明装置１１〜１４に輝度指示信号を送出して、当該照明装置を所定の輝度で発光させるように構成する。【選択図】図１
2017068896.tif 000002
【特許請求の範囲】
【請求項１】
照明すべきエリアにそれぞれ対応して配置された少なくとも一つの照明装置と、各照明装置に接続され且つ当該照明装置の輝度を制御するターミナルユニットと、各ターミナルユニットを調光制御する一つのコントロールユニットと、から構成されていて、
前記コントロールユニットでエリア毎に照明装置の輝度を設定し、設定された輝度に対応する輝度指示信号を含む制御信号を各ターミナルユニットに送出し、
前記ターミナルユニットが、コントロールユニットからの制御信号に基づいて、対応する照明装置に前記輝度指示信号を送出して、当該照明装置を所定の輝度で発光させる
ことを特徴とする調光システム。
【請求項２】
前記コントロールユニットが、調光すべき照明装置を選択する選択手段と、選択された照明装置の輝度を調整する輝度調整手段と、を備えていることを特徴とする請求項１に記載の調光システム。
【請求項３】
前記コントロールユニットが、一括調整モードと個別調整モードとを切り換える切換手段を備えており、
前記切換手段が、個別調整モードであるとき、前記輝度調整手段が、前記選択手段により選択された照明装置の設定輝度を調整して、輝度指示信号を含む制御信号を当該照明装置に対応するターミナルユニットに送出し、また一括調整モードであるとき、前記輝度調整手段が、前記選択手段を無効にすると共に、すべての照明装置の輝度を一律に調整して、輝度指示信号を含む制御信号をすべてのターミナルユニットにそれぞれ送出することを特徴とする請求項２に記載の調光システム。
【請求項４】
前記切換手段が個別調整モードから一括調整モードに切り換えられるとき、前記輝度調整手段が、すべての照明装置の設定輝度を以前の一括調整モード時の設定輝度に戻す、あるいは、現在設定されている輝度とすることを特徴とする請求項３に記載の調光システム。
【請求項５】
前記切換手段が一括調整モードから個別調整モードに切り換えられるとき、前記輝度調整手段が、前記選択手段により選択された照明装置のみ設定輝度を調整し、残りの照明装置の設定輝度は切換前の一括調整モード時の設定輝度を保持することを特徴とする請求項３に記載の調光システム。
【請求項６】
前記切換手段が個別調整モードであるとき、前記輝度調整手段が、前記選択手段が選択を解除した照明装置の設定輝度として、選択解除前の設定輝度を保持することを特徴とする請求項３に記載の調光システム。
【請求項７】
さらに、各照明装置が照明すべきエリアにおける人等を存在を検出して、対応するターミナルユニットに検出信号を送出するセンサーを備えていて、
前記コントロールユニットが、各照明装置に対応するセンサーモード情報を設定するセンサーモード設定手段を備えており、
前記輝度調整手段が、前記センサーモード設定手段により設定されたセンサーモード情報を、輝度指示信号を含む制御信号に追加して、各ターミナルユニットに送出し、
前記ターミナルユニットが、センサー情報がオフモードの場合、またはセンサー情報がオンモードで且つセンサーからの検出信号がないとき、対応する照明装置を設定輝度で発光させると共に、センサー情報がオンモードで且つセンサーからの検出信号があるとき、対応する照明装置を最大輝度で発光させることを特徴とする請求項２から６の何れかに記載の調光システム。
【請求項８】
前記コントロールユニットが、制御情報を情報通信の手法を用いて伝送する場合には、所定時間毎に各ターミナルユニットに対して制御信号を送出し、
前記各ターミナルユニットが、前記コントロールユニットからの制御信号が一定時間の間受信できないとき、対応する照明装置を最大輝度で発光させることを特徴とする請求項１から７の何れかに記載の調光システム。
【請求項９】
前記各ターミナルユニットが、前記コントロールユニットから給電されていると共に、前記各照明装置は個々に給電されており、
前記各ターミナルユニットへの給電が遮断されたとき、対応する照明装置を最大輝度で発光させることを特徴とする、請求項１から７の何れかに記載の調光システム。
【請求項１０】
前記各照明装置が、対応するターミナルユニットから入力される輝度指示信号が開放または高インピーダンスのとき、最大輝度で発光するように構成されており、
前記各ターミナルユニットが、給電が遮断されたとき、対応する照明装置への輝度指示信号を開放または高インピーダンスとするように構成されていることを特徴とする請求項９に記載の調光システム。
【請求項１１】
複数組の請求項１から１０の何れかに記載の調光システムと、各調光システムのコントロールユニットを制御する為のマスターコントロールユニットと、を含んでいることを特徴とする、大規模調光システム。
【請求項１２】
複数組の請求項１から１０の何れかに記載の調光システムを含んでおり、各調光システムにおけるコントロールユニットが互いに接続されており、各コントロールユニットまたは何れか一つのコントロールユニットが他のコントロールユニットを制御することを特徴とする、大規模調光システム。
【発明の詳細な説明】
【技術分野】
【０００１】
本発明は、広い面積の場所をエリア別に照明する照明装置の調光システムに関するものである。
【背景技術】
【０００２】
従来、例えば体育館，工場，倉庫等の広い面積の場所を照明する場合、適宜の面積のエリアに分けて、エリア毎に照明装置を配置し、共通の制御装置により各照明装置をそれぞれ駆動制御して発光させるようにした調光システムがある。
【０００３】
このような調光システムは、種々のものが使用されており、通常は消灯しており、エリア内に人が進入したとき、センサーで検知して、当該エリアの照明装置を最大輝度あるいは設定輝度で点灯させるように構成されている。
【発明の概要】
【発明が解決しようとする課題】
【０００４】
しかしながら、このような調光システムにおいては、人がいるエリアは対応する照明装置により明るいが、周囲で人のいないエリアでは照明装置が消灯しているため、周囲の状況が分からず、安全上また保安上での問題があり且つ使用者に不安感を与えてしまうと言う問題もあった。
これに対して、センサーに依らずに、すべてのエリアの照明装置を点灯させる場合には、人のいないエリアも常時照明することになり、消費電力の無駄使いになってしまい、省エネルギーの観点からも好ましくない。
【０００５】
さらに、制御装置から各照明装置への制御信号が、例えば構内ＬＡＮ等を利用して送出されている場合には、構内ＬＡＮの故障あるいはノードの故障等が発生したとき、各照明装置に電源は供給されていても制御信号が入力されない場合には、照明装置が消灯のままとなり制御が不可能になってしまうと共に、ＬＡＮの障害部位によってはシステムの再設定が必要となり障害復旧に多大な時間と費用を要すると言う問題も内在していた。
【０００６】
また、各エリアに配置された照明装置は、制御装置の故障等により駆動制御されなくなったとき消灯してしまう。このため、非常時等において、各エリアにおける視界が確保され得なくなり安全上非常に大きな問題となってしまう。
【０００７】
本発明は、以上の点に鑑み、簡単な構成により、複数のエリア毎に照明装置による明るさを設定することができると共に、制御装置に故障，停電が発生した場合には各照明装置を最大輝度で点灯させるようにした調光システムを提供することを目的としている。
【課題を解決するための手段】
【０００８】
上記目的は、本発明によれば、照明すべきエリアにそれぞれ対応して配置された少なくとも一つの照明装置と、各照明装置に接続され且つ当該照明装置の輝度を制御するターミナルユニットと、各ターミナルユニットを調光制御する一つのコントロールユニットと、から構成されていて、コントロールユニットが、個々の照明装置毎に輝度を設定し、設定された輝度に対応する輝度指示信号を含む制御信号を、各ターミナルユニットに送出し、ターミナルユニットが、コントロールユニットからの制御信号に基づいて、対応する照明装置に輝度指示信号を送出して、当該照明装置を所定の輝度で発光させることを特徴とする調光システムにより達成される。
【０００９】
上記構成によれば、各ターミナルユニットが、コントロールユニットにより設定された輝度に対応する輝度指示信号を含む制御信号に基づいて、対応する照明装置に輝度指示信号を送出することにより、当該照明装置を設定輝度で発光させて、対応するエリアを照明する。
これにより、コントロールユニットが各エリアの照明装置毎に輝度を設定することによって、例えば体育館，工場，倉庫等や数フロアに跨がるオフィス空間等の広い面積の場所がエリア毎に設定された輝度で照明されることになる。
従って、全エリアにおいて、それぞれ最適な輝度で照明が行なわれることになる。
【００１０】
本発明による調光システムは、好ましくは、コントロールユニットが、調光すべき照明装置を選択する選択手段と、選択された照明装置の輝度を調整する輝度調整手段と、を備えていることを特徴とする。
この構成によれば、選択手段で選択した照明装置に関して、輝度調整手段により設定輝度を調整して、調整された設定輝度に対応する輝度指示信号を含む制御信号が、当該照明装置に対応するターミナルユニットに送出されるので、各エリアに対応する照明装置がそれぞれ設定輝度で発光する。
【００１１】
本発明による調光システムは、好ましくは、コントロールユニットが、一括調整モードと個別調整モードとを切り換える切換手段を備えており、切換手段が、個別調整モードであるとき、輝度調整手段が、選択手段により選択された照明装置の設定輝度を調整して、輝度指示信号を含む制御信号を当該照明装置に対応するターミナルユニットに送出し、また一括調整モードであるとき、輝度調整手段が、選択手段を無効にすると共に、すべての照明装置の輝度を一律に調整して、輝度指示信号を含む制御信号をすべてのターミナルユニットにそれぞれ送出することを特徴とする。
この構成によれば、一括調整モードのときは、全照明装置が、一括して同じ設定輝度で発光するので、全エリアが同じ明るさに照明される。
【００１２】
本発明による調光システムは、好ましくは、切換手段が個別調整モードから一括調整モードに切り換えられるとき、輝度調整手段が、すべての照明装置の設定輝度を以前の一括調整モード時の設定輝度に戻す、あるいは現在設定されている輝度とすることを特徴とする。
この構成によれば、切換手段によって個別調整モードから一括調整モードに切り換えられたとき、全照明装置が以前の一括調整モードのときと同じ設定輝度、または現設定輝度で発光するので、各照明装置の輝度に差異が生ずることがない。
【００１３】
本発明による調光システムは、好ましくは、切換手段が一括調整モードから個別調整モードに切り換えられるとき、輝度調整手段が、選択手段により選択された照明装置のみ設定輝度を調整し、残りの照明装置の設定輝度は切換前の一括調整モード時の設定輝度を保持することを特徴とする。
この構成によれば、切換手段によって一括調整モードから個別調整モードに切り換えられたとき、選択手段により選択された照明装置は、輝度調整手段により設定輝度が調整されると共に、選択手段により選択されない照明装置は、切換前の一括調整モード時の設定輝度で点灯するので、明るさが変動することは無い。
【００１４】
本発明による調光システムは、好ましくは、切換手段が個別調整モードであるとき、輝度調整手段が、選択手段が選択を解除した照明装置の設定輝度として、選択解除前の設定輝度を保持することを特徴とする。
この構成によれば、個別調整モード時には、選択手段により選択解除された照明装置に関して、当該照明装置は、選択解除前の設定輝度で発光する。従って、選択手段によって順次に各照明装置を選択することによって、各照明装置に関して個別的にそれぞれ設定輝度を調整することができる。
【００１５】
本発明による調光システムは、好ましくは、さらに、各照明装置が照明すべきエリアにおける人等を存在を検出して、対応するターミナルユニットに検出信号を送出するセンサーを備えていて、コントロールユニットが、各照明装置に対応するセンサーモード情報を設定するセンサーモード設定手段を備えており、輝度調整手段が、センサーモード設定手段により設定されたセンサーモード情報を、輝度指示信号を含む制御信号に追加して、各ターミナルユニットに送出し、ターミナルユニットが、センサー情報がオフモードの場合、またはセンサー情報がオンモードで且つセンサーからの検出信号がないとき、対応する照明装置を設定輝度で発光させると共に、センサー情報がオンモードで且つセンサーからの検出信号があるとき、対応する照明装置を最大輝度で発光させることを特徴とする。
この構成によれば、センサーから検出信号が入力されたとき、当該センサーが配置されるエリアに対応するターミナルユニットは、センサー情報がオンモードであれば、対応する照明装置に最大輝度の輝度指示信号を送出して、当該照明装置を最大輝度で発光させるが、センサー情報がオフモードの場合及びセンサー情報がオンモードで且つセンサーからの検出信号がないときには、対応する照明装置に設定輝度の輝度指示信号を送出して、当該照明装置を設定輝度で発光させ続ける。
【００１６】
本発明による調光システムは、好ましくは、コントロールユニットが、制御情報を情報通信の手法を用いて伝送する場合には、所定時間毎に各ターミナルユニットに対して制御信号を送出し、各ターミナルユニットが、コントロールユニットからの制御信号が一定時間の間受信できないとき、対応する照明装置を最大輝度で発光させることを特徴とする。
この構成によれば、各ターミナルユニットは、コントロールユニットからの制御信号が一定時間の間入力されないときには、対応する照明装置に最大輝度の輝度指示信号を送出して、当該照明装置を最大輝度で発光させる。これにより、コントロールユニットにケーブル断線・電源障害等の異常が発生したとき、障害対象エリアの照明装置が最大輝度で発光することになり、コントロールユニットの故障等によって、照明装置が消灯してしまうと言った安全上問題となる事を回避することができる。
【００１７】
本発明による調光システムは、好ましくは、各ターミナルユニットが、コントロールユニットから給電されていると共に、各照明装置は個々に給電されており、各ターミナルユニットへの給電が遮断されたとき、対応する照明装置に最大輝度の輝度指示信号を送出して、当該照明装置を最大輝度で発光させることを特徴とする。
この構成によれば、各ターミナルユニットへの給電が遮断されたとしても、当該ターミナルユニットが対応する照明装置を最大輝度で発光させる。これにより、制御部の障害や制御部分に限定される停電による照明装置の消灯を回避することができる。
【００１８】
本発明による調光システムは、好ましくは、各照明装置が、対応するターミナルユニットから入力される輝度指示信号が開放または高インピーダンスのとき、最大輝度で発光するように構成されており、各ターミナルユニットが、給電が遮断されたとき、対応する照明装置への輝度指示信号を開放または高インピーダンスとするように構成されていることを特徴とする。
この構成によれば、各照明装置が、非給電時には輝度指示信号を開放または高インピーダンスとするように構成されているので、電源遮断によって、対応するターミナルユニットからの輝度指示信号が遮断されたとしても、当該照明装置は、独立的に給電されていることよって、最大輝度で発光する。これにより、停電による照明装置の消灯を回避することができる。
【００１９】
上記目的は、本発明の他の構成によれば、複数組の上述した何れかの構成の調光システムと、各調光システムのコントロールユニットを制御する為のマスターコントロールユニットと、を含んでいることを特徴とする、大規模調光システムにより、達成される。
また、上記目的は、本発明のさらに他の構成によれば、複数組の上述した何れかの構成の調光システムを含んでおり、各調光システムにおけるコントロールユニットが互いに接続されており、各コントロールユニットまたは何れか一つのコントロールユニットが他のコントロールユニットを制御することを特徴とする、大規模調光システムにより達成される。
このような構成の大規模調光システムによれば、複数組の調光システムを組み合わせて、そのコントロールユニットまたはマスターコントロールユニットを使用して、より多数の照明すべきエリアを有する広大な大規模施設におけるエリア毎の調光された照明を行なうことが可能である。
【発明の効果】
【００２０】
このようにして、本発明によれば、簡単な構成により、複数のエリア毎に照明装置による明るさを設定することができると共に、制御装置に故障，停電あるいは接続ケーブルの断線等が発生した場合には各照明装置を最大輝度で点灯させるようにした調光システムを提供することができる。
【図面の簡単な説明】
【００２１】
【図１】本発明による調光システムの一実施形態の構成を示す概略図である。
【図２】図１の調光システムにおける一つのエリアに対応するターミナルユニット，照明装置及びセンサーを示すブロック図である。
【図３】図２のターミナルユニットにおける出力部の構成を示す部分回路図である。
【図４】図１の調光システムにおけるコントロールユニットの構成を示すブロック図である。
【図５】図２のコントロールユニットの外観を示す概略正面図である。
【発明を実施するための形態】
【００２２】
以下、図面に示した実施形態に基づいて本発明を詳細に説明する。
図１は、本発明による調光システムの一実施形態の構成を示している。
図１において、調光システム１０は、照明すべき複数（図示の場合、四つ）のエリアＡ，Ｂ，Ｃ，Ｄに対して、それぞれ配置された照明装置１１，１２，１３，１４及びセンサー２１，２２，２３，２４と、各照明装置１１〜１４に対してそれぞれ接続されたターミナルユニット３１，３２，３３，３４と、各ターミナルユニット３１〜３４を調光制御する一つのコントロールユニット４０と、から構成されている。
【００２３】
エリアＡ〜Ｄは、例えば体育館，工場，倉庫等のフロアであって、この場合、フロアを四つの領域に分割して、分割された各領域をエリアＡ〜Ｄとしている。
照明装置１１〜１４は、何れも同じ構成であって、従来公知の照明装置、例えば図示の場合、ＬＥＤ照明装置が使用されている。
ここで、照明装置１１〜１４は、ターミナルユニット３１〜３４及びコントロールユニット４０とは別に設けられた外部電源により、それぞれ独立的に給電されている。
そして、照明装置１１〜１４は、それぞれ対応するターミナルユニット３１〜３４から送出される輝度指示信号に基づいて駆動され、内部の制御回路により所定の輝度で発光する。
【００２４】
センサー２１〜２４は、何れも同じ構成であって、例えば赤外線センサー等が使用され、対応するエリアＡ〜Ｄ内に人等が進入したとき、これを検知して、検出信号を出力する。
【００２５】
ターミナルユニット３１〜３４は、何れも同じ構成であって、例えばエリアＡに対応するターミナルユニット３１について以下に説明する。
ターミナルユニット３１は、対応する照明装置１１に接続されていると共に、センサー２１からの検出信号が入力される。
さらに、ターミナルユニット３１は、後述するコントロールユニット４０からの給電により作動すると共に、コントロールユニット４０からの制御信号が入力される。
【００２６】
ここで、ターミナルユニット３１は、コントロールユニット４０からの制御信号Ｓのうち、後述する識別情報により、当該ターミナルユニット３１に関する輝度指示信号Ｓ１を取りだして、この輝度指示信号Ｓ１に基づいて、照明装置１１を駆動制御して、輝度指示信号Ｓ１で指示された輝度で照明装置１１を発光させる。
【００２７】
また、ターミナルユニット３１は、センサー２１からの検出信号が入力されたとき、制御信号Ｓに含まれるセンサー設定情報がオンモードである場合には、制御信号Ｓに含まれる輝度指示信号にかかわらず、照明装置１１に最大輝度の輝度指示信号を送出して、当該照明装置１１を最大輝度で発光させる。
なお、ターミナルユニット３１は、センサー２１からの検出信号が入力されたとき、制御信号Ｓに含まれるセンサー設定情報がオフモードである場合には、上記検出信号にかかわらず、制御信号Ｓに含まれる輝度指示信号Ｓ１を照明装置１１に送出して、輝度指示信号Ｓ１で指示された設定輝度で照明装置１１を発光させる。
【００２８】
尚、コントロールユニット４０がターミナルユニット３１に制御信号を情報通信の手法を用いて送付する場合には、コントロールユニット４０からの制御信号Ｓが一定時間送られてこないとき、照明装置１１に最大輝度の輝度指示信号を送出して、最大輝度で照明装置１１を発光させる。
【００２９】
また、ターミナルユニット３１は、コントロールユニット４０からの給電が遮断されたとき、照明装置１１に最大輝度の輝度指示信号を送出して、最大輝度で発光させる。
例えば、ターミナルユニット３１は、給電が遮断されたとき、照明装置１１への輝度指示信号を開放または高インピーダンスとする。
これに対応して、照明装置１１は、輝度指示信号が開放または高インピーダンスのとき、輝度指示信号が高レベルであるとして、最大輝度で発光するように構成されている。
【００３０】
より具体的には、例えば図３に示すように、ターミナルユニット３１は、コントロールユニット４０からの給電電圧が、フォトカプラ３１ａの発光素子３１ｂに印加され、発光素子３１ｂが発光することにより、フォトカプラ３１ａの受光素子３１ｃがオンとなる。
従って、コントロールユニット４０からターミナルユニット３１に給電が行なわれている場合には、フォトカプラ３１ａの受光素子３１ｃが導通して、照明装置１１の制御回路入力１１ａがアース電位となって、照明装置１１には、輝度指示信号Ｓ１が入力されることになり、設定輝度で発光する。
これに対して、コントロールユニット４０からターミナルユニット３１への給電が遮断されると、フォトカプラ３１ａの発光素子３１ｂが発光しなくなり、フォトカプラ３１ａの受光素子３１ｃが開放して、高インピーダンスとなる。
従って、照明装置１１の輝度指示信号入力１１ａは、内部電源からのプルアップ抵抗１１ｂのみとなるため、高レベルとなるので、照明装置１１は、最大輝度で発光する。
【００３１】
コントロールユニット４０は、図４に示すように、構成されている。
図４において、コントロールユニット４０は、調光すべき照明装置１１〜１４を選択する選択手段４１と、照明装置１１〜１４の設定輝度を調整して、輝度指示信号Ｓ１を含む制御信号を生成する輝度調整手段４２と、一括調整と個別調整を切り換える切換手段４３と、各センサー２１〜２４をオンオフするセンサーモード設定手段４４と、を備えている。
ここで、選択手段４１及びセンサーモード設定手段４４については、エリアＡ〜Ｄ毎に対応して、それぞれ選択手段４１ａ，４１ｂ，４１ｃ，４１ｄ及びセンサーモード設定手段４４ａ，４４ｂ，４４ｃ，４４ｄが設けられており、４１ａと４４ａ，４１ｂと４４ｂ，４１ｃと４４ｃ，４１ｄと４４ｄの各出力は制御信号として各々対応するターミナルユニットに接続される。
【００３２】
選択手段４１即ち４１ａ〜４１ｄは、例えば図５に示すように、コントロールユニット４０の前面パネルに配置されており、図示の場合、プッシュ式のモーメンタリースイッチとして構成されており、スイッチを押動することによりオンとなり、再度スイッチを押動することによりオフとなる。
なお、これらの選択手段４１ａ〜４１ｄの操作状態を視覚的に表示するために、各選択手段４１ａ〜４１ｄに隣接して、例えばＬＥＤ等からなる発光表示部４５ａ，４５ｂ，４５ｃ，４５ｄが設けられており、選択手段４１ａ〜４１ｄがオン状態にあるとき、輝度調整手段４２により、対応する発光表示部４５ａ〜４５ｄが発光するように構成されている。
そして、これらの選択手段４１ａ〜４１ｄは、それぞれ輝度調整手段４２に接続されている。
【００３３】
切換手段４３は、例えば図５に示すように、コントロールユニット４０の前面パネルに配置されており、図示の場合、モーメンタリースイッチとして構成されており、スイッチを押動することによりオンとなり、再度スイッチを押動することによりオフとなる。
なお、切換手段４３は、所謂自照式スイッチが使用されており、オン時には前面がバック照明されるように構成されている。
ここで、切換手段４２は、一括調整モード及び個別調整モードを切り換えるものであり、この場合、オフで一括調整モードとなり、オンで個別調整モードとなるように設定してある。
そして、切換手段４２は、輝度調整手段４２に接続されている。
【００３４】
輝度調整手段４２は、コントロールユニット４０の前面パネルに設けられた調整つまみ４２ａを備えていると共に、以下のように動作するが、これらは液晶表示器とタッチパネルを組み合わせてコンピュータプログラムで表示と操作を行う等の方法で同等機能を実現しても良い。前述のスイッチ類についても同様であることは言うまでもない。
なお、以下の動作も、論理回路により実現されてもよく、またコンピュータプログラムによって実現されてもよい。
【００３５】
輝度調整手段４２は、切換手段４３がオン、即ち個別調整モードであるとき、選択手段４１により選択された照明装置１１〜１４に関して、調整つまみ４２ａを操作することにより設定輝度を調整し、調整した設定輝度を保持すると共に、この設定輝度に対応する輝度指示信号Ｓ１を生成する。
なお、設定輝度の保持は、例えばレジスタ等により、あるいは記憶手段により行なわれ得る。
また、輝度調整手段４２は、切換手段４３がオフ、即ち一括調整モードであるとき、選択手段４１ａ〜４１ｄを無効として、全照明装置１１〜１４に関して、調整つまみ４２ａにより設定輝度が調整され、調整された設定輝度に対応する輝度指示信号Ｓ１を生成する。
ここで、輝度指示信号Ｓ１は、設定輝度に関する情報及び関連する照明装置１１〜１４に関する識別情報を含んでいる。
即ち、一括調整モードの場合には、輝度調整手段４２は、すべての照明装置１１〜１４に関して、それぞれ輝度指示信号Ｓ１を生成する。
【００３６】
センサーモード設定手段４４ａ〜４４ｄは、例えば図５に示すように、コントロールユニット４０の前面パネルにて、それぞれ上述した選択手段４１ａ〜４１ｄの右側に配置されており、図示の場合、スライドスイッチとして構成されており、つまみを右方に移動させることによりオフモード、つまみを左方に移動させることによりオンモードとなる。
そして、各センサーモード設定手段４４ａ〜４４ｄは、それぞれ輝度調整手段４２に接続されている。
【００３７】
これにより、輝度調整手段４２は、各センサーモード設定手段４４ａ〜４４ｄのオンオフの状態に応じて、対応するエリアＡ〜Ｄの照明装置１１〜１４に関する輝度指示信号Ｓ１に、センサーモード設定手段４４ａ〜４４ｄのオフモードまたはオンモードを示すセンサーモード情報Ｓ２を付加して、制御信号Ｓとして、各ターミナルユニット３１〜３４に送出する。
【００３８】
ここで、輝度調整手段４２は、切換手段４３の切り換えの際には、照明装置１１〜１４の設定輝度を以下のように切り換える。
即ち、輝度調整手段４２は、切換手段４３が個別調整モードから一括調整モードに切り換えられるとき、すべての照明装置１１〜１４の設定輝度を以前の一括調整モード時の設定輝度に変更する、または前記照明装置の設定輝度を現在設定されている輝度とする。
【００３９】
また、輝度調整手段４２は、切換手段４３が一括調整モードから個別調整モードに切り換えられるとき、選択手段４１ａ〜４１ｄにより選択された照明装置１１〜１４について、調整つまみ４２ａにより設定輝度を調整すると共に、選択手段４１ａ〜４１ｄにより選択されない残りの照明装置１１〜１４に関して、その設定輝度を切換前の一括調整モード時の設定輝度を保持する。
【００４０】
さらに、切換手段４３が個別調整モードであって、選択手段４１ａ〜４１ｄがオフとなって、対応する照明装置１１〜１４の選択が解除されたとき、輝度調整手段４２は、当該照明装置１１〜１４の設定輝度を、選択解除前の設定輝度を保持する。
【００４１】
そして、輝度調整手段４２は、このようにして設定された設定輝度を保持する共とに、設定輝度に対応する輝度指示信号Ｓ１，センサーモード情報Ｓ２を制御信号Ｓとして、所定時間毎に、各ターミナルユニット３１〜３３に送出する。
【００４２】
本発明実施形態による調光システム１０は、以上のように構成されており、以下のように動作する。
まず、コントロールユニット４０の切換手段４３がオフであって、一括調整モードの場合には、輝度調整手段４２は、調整つまみ４２ａを操作することにより、すべての照明装置１１〜１４に関する設定輝度を調整することができる。
そして、輝度調整手段４２は、調整された設定輝度に対応する輝度指示信号Ｓ１を生成する。
同時に、輝度調整手段４２は、各センサーモード設定手段４４ａ〜４４ｄのオンオフ状態に応じて、各照明装置１１〜１４に関するセンサーのオフモードまたはオンモードを示すセンサーモード情報Ｓ２を生成する。
これにより、輝度調整手段４２は、これらの輝度指示信号Ｓ１及びセンサーモード情報Ｓ２に各照明装置１１〜１４毎の識別情報を追加して制御信号Ｓを生成し、各ターミナルユニット３１〜３４に対して送出する。勿論、前記制御情報を情報通信の手法を用いて送付する場合には所定時間毎に制御情報を送付する。
【００４３】
これを受けて、各ターミナルユニット３１〜３４は、それぞれ対応するエリアＡ〜Ｄに関する制御信号Ｓを取りだして、以下のようにして対応する照明装置１１〜１４に輝度指示信号を送出する。
即ち、各ターミナルユニット３１〜３４は、それぞれ制御信号Ｓに含まれるセンサーモード情報Ｓ２がオフモードである場合、またはセンサーモード情報Ｓ２がオンモードで且つセンサー２１〜２４からの検出信号がない場合には、輝度指示信号Ｓ１を照明装置１１〜１４に送出し、これらの照明装置１１〜１４をそれぞれ設定輝度で発光させる。
また、各ターミナルユニット３１〜３４は、それぞれセンサーモード情報Ｓ２がオンモードで且つセンサー２１〜２４からの検出信号がある場合には、輝度指示信号Ｓ１にかかわらず、照明装置１１〜１４に最大輝度の輝度指示信号を送出して、各照明装置１１〜１４をそれぞれ最大輝度で発光させる。
【００４４】
これに対して、コントロールユニット４０の切換手段４３がオンされ、一括調整モードから個別調整モードに切り換えられた場合には、輝度調整手段４２は、選択手段４１ａ〜４１ｄがオンであって、選択された照明装置１１〜１４に関して、調整つまみ４２ａを操作することにより、設定輝度を調整することができる。
ここで、選択手段４１ａ〜４１ｄのうち、複数個の選択手段４１ａ〜４１ｄがオンであれば、選択された複数個の照明装置１１〜１４に関して、輝度調整手段４２は、設定輝度を調整し、調整された設定輝度を保持する。
また、選択手段４１ａ〜４１ｄがオフであって、選択されない照明装置１１〜１４については、輝度調整手段４２は、切換前の一括調整モード時の設定輝度を保持する。
そして、輝度調整手段４２は、このようにして保持された設定輝度に基づいて、各照明装置１１〜１４に関する輝度指示信号Ｓ１を生成し、またセンサーモード設定手段４５ａ〜４５ｄのオンオフ状態に基づいて、同様にセンサーモード情報Ｓ２を生成することにより、制御信号Ｓを生成し、各ターミナルユニット３１〜３４に対して送出する。尚、前記制御信号Ｓを情報通信の手法を用いて送付する場合には所定時間毎に各ターミナルユニット３１〜３４に対して送出する。
【００４５】
これを受けて、各ターミナルユニット３１〜３４は、一括調整モードの場合と同様にして、それぞれ対応するエリアＡ〜Ｄに関する制御信号Ｓを取りだして、対応する照明装置１１〜１４にそれぞれ輝度指示信号Ｓ１を送出する。
即ち、各ターミナルユニット３１〜３４は、それぞれ制御信号Ｓに含まれるセンサーモード情報Ｓ２がオフモードである場合、またはセンサーモード情報Ｓ２がオンモードで且つセンサー２１〜２４からの検出信号がない場合には、輝度指示信号Ｓ１に基づいて、照明装置１１〜１４に輝度指示信号Ｓ１を送出して、これらの照明装置１１〜１４をそれぞれ設定輝度で発光させる。
また、各ターミナルユニット３１〜３４は、それぞれセンサーモード情報Ｓ２がオンモードで且つセンサー２１〜２４からの検出信号がある場合には、輝度指示信号Ｓ１にかかわらず、照明装置１１〜１４に最大輝度の輝度指示信号を送出して、これらの照明装置１１〜１４をそれぞれ最大輝度で発光させる。
【００４６】
ここで、各ターミナルユニット３１〜３４は、コントロールユニット４０からの制御信号Ｓを情報通信の手法を用いて送付している場合には一定時間の間受信できないとき、対応する照明装置１１〜１４に最大輝度の輝度指示信号を送出して、これらの照明装置１１〜１４をそれぞれ最大輝度で発光させる。
これにより、コントロールユニット４０が故障等により制御信号Ｓを送出できなくなった場合等に、照明装置１１〜１４が最大輝度で発光するので、従来のように照明装置１１〜１４が消灯してしまったり低輝度で光り続けるようなことはない。
【００４７】
また、各ターミナルユニット３１〜３４は、コントロールユニット４０から給電されることにより動作しているが、この給電が遮断した場合には、各ターミナルユニット３１〜３４は、それぞれ対応する照明装置１１〜１４に最大輝度の輝度指示信号を送出して、これらの照明装置１１〜１４をそれぞれ最大輝度で発光させる。
この場合、各ターミナル３１〜３４は、給電されない状態で、対応する照明装置１１〜１４に送出される輝度指示信号が開放され、または高インピーダンスとなる。従って、各照明装置１１〜１４は、輝度指示信号が高レベルであるとして、最大輝度で発光する。このとき、各照明装置１１〜１４を独立的に給電しておけば、ターミナルユニット３１〜３４またはコントロールユニット４０の停電に影響されることなく、確実に最大輝度で発光する。
【００４８】
本発明はその趣旨を逸脱しない範囲において様々な形態で実施することができる。
例えば、上述した実施形態においては、調光システム１０は、一つのコントロールユニット４０により、四つのエリアＡ〜Ｄにおける照明装置１１〜１４の調光を行なうように構成されているが、これに限らず、一つ〜三つまたは五つ以上のエリアにそれぞれ、照明装置，ターミナルユニット，センサーを配置して、各照明装置を一括または個別に調光することが可能である。
【００４９】
上述した実施形態においては、各ターミナルユニット３１〜３４は、コントロールユニット４０から給電されるように構成されているが、これに限らず、各ターミナルユニット３１〜３４は、対応する照明装置１１〜１４と同様に、独立的に給電されてもよいことは明らかである。
【００５０】
上述した実施形態においては、コントロールユニット４０から各ターミナルユニット３１〜３４に対して制御信号Ｓが送出されるように構成されているが、この制御信号Ｓは、アナログ信号であってもデジタル信号であってもよく、さらにコントロールユニット４０から各ターミナルユニット３１〜３４への配線は、特に限定されることはなく、スイッチの状態をそのまま送っても良く、スイッチの状態を情報として扱えるようにした後に該情報を情報通信の手法を用いて送っても良い。通信は、有線通信であっても無線通信であってもよく、またＬＡＮとして構成されていてもよい。
【００５１】
上述した実施形態においては、コントロールユニット４０に設けられる選択手段４１ａ〜４１ｄ，切換手段４３，センサーモード設定手段４４ａ〜４４ｄは、それぞれスイッチから構成されているが、これに限らず、入力可能な手段であればよく、タッチパネル方式等であってもよい。
【００５２】
上述した実施形態においては、コントロールユニット４０は、選択手段４１ａ〜４１ｄ，輝度調整手段４２，切換手段４３及びセンサーモード設定手段４５ａ〜４５ｄが手作業で操作されるようになっているが、これに限らず、例えばサーバー等の外部から制御情報をコントロールユニット４０に入力して、各照明装置１１〜１４に関する設定輝度の調整を行なうようにしてもよい。
この場合、複数組の調光システム１０を用意して、各調光システム１０におけるコントロールユニット４０をサーバー等の外部から制御情報を入力して、各調光システム１０の照明装置を調光することも可能である。
また、複数組の調光システム１０を用意して、各調光システム１０におけるコントロールユニット４０を相互に接続し、一つのコントロールユニット４０により他のコントロールユニット４０を制御するようにしてもよい。
【００５３】
上述した実施形態においては、照明装置１１〜１４として、ＬＥＤ照明装置が使用されているが、これに限らず、ＬＥＤ以外の他の光源を使用した照明装置であってもよいことは明かである。
【符号の説明】
【００５４】
１０    調光システム
１１〜１４    照明装置
１１ａ  輝度指示信号入力
１１ｂ  プルアップ抵抗
２１〜２４    センサー
３１〜３４    ターミナルユニット
３１ａ  フォトカプラ
３１ｂ  発光素子
３１ｃ  受光素子
４０    コントロールユニット
４１，４１ａ，４１ｂ，４１ｃ，４１ｄ  選択手段
４２    輝度調整手段
４２ａ  調整つまみ
４３    切換手段
４４，４４ａ，４４ｂ，４４ｃ，４４ｄ  センサーモード設定手段
Ｓ    制御信号
Ｓ１  輝度指示信号
Ｓ２  センサーモード情報
【図１】
2017068896.tif 000003
【図２】
2017068896.tif 000004
【図３】
2017068896.tif 000005
【図４】
2017068896.tif 000006
【図５】
2017068896.tif 000007